(57)【要約】【課題】遊技者の所有物を収容可能な収容部を効率良く配置する。【解決手段】貸出機２は、遊技価値の情報を記録した記録媒体を受け付ける受付部と、その記録媒体を排出する排出部とを備える。ユニット機３は、排出部の前方で当該排出部と前後に重なるように配置される収容部３６を備える。収容部３６と排出部を前後に重ねることで、省スペース化を図りつつ記録媒体の盗難を抑制することができる。【選択図】図１
2014230644.tif 000002
【特許請求の範囲】
【請求項１】
遊技機に対応して設けられ、遊技者が携帯可能であり遊技に使用可能な遊技価値の情報を記録した記録媒体を受け付ける受付部と、
遊技機に対応して設けられ、遊技者が受け取り可能に前記記録媒体を排出する排出部と、
前記排出部の前方で当該排出部と前後に重なるように配置され、遊技者の所有物を収容可能な収容部と、を備えたことを特徴とする遊技場用装置。
【請求項２】
前記排出部は、前記記録媒体が前方に突出するように当該記録媒体を排出するものであり、
前記収容部を前後に移動可能とする前後移動機構を備えたことを特徴とする請求項１記載の遊技場用装置。
【請求項３】
前記収容部を、前記排出部の前方で前後に重なる第１位置と前記排出部と前後に重なった状態から退避した第２位置とに移動可能とする退避移動機構を備えたことを特徴とする請求項１又は２記載の遊技場用装置。
【請求項４】
前記退避移動機構は、前記収容部が前記第２位置から前記第１位置に移動するように付勢することを特徴とする請求項３記載の遊技場用装置。
【請求項５】
前記排出部が排出した記録媒体を遊技者と挟む位置で前後に延びると共に、前記排出部よりも前方位置で前記収容部を保持する保持手段を備えたことを特徴とする請求項１から４の何れか一項に記載の遊技場用装置。
【請求項６】
前記収容部には、遊技者の所有物である板状の携帯端末の画面が遊技者に向いた状態で設置可能な第１設置部と、前記第１設置部よりも前記携帯端末の画面が遊技者に向かない状態で設置可能な第２設置部と、が設けられていることを特徴とする請求項１から５の何れか一項に記載の遊技場用装置。
【請求項７】
遊技機に対応して設けられ、遊技者が携帯可能であり遊技に使用可能な遊技価値の情報を記録した記録媒体を受け付ける受付部と、
遊技機に対応して設けられ、遊技者が受け取り可能に前記記録媒体を排出する排出部と、
前記排出部と前後に重なるように配置可能であり、遊技者の所有物を収容可能な収容部と、を備えたことを特徴とする遊技場用システム。
【発明の詳細な説明】
【技術分野】
【０００１】
本発明は、遊技者の所有物を収容可能な収容部を備えた遊技場用装置及び遊技場用システムに関する。
【背景技術】
【０００２】
従来、遊技機が設置された遊技場では様々なサービスが行われている。例えば、特許文献１には、遊技者に会員カードを付与し、遊技者が預け入れた玉の情報を会員カードに記録することが記載されている。これにより、遊技者はカードを遊技機に隣接した貸出機に挿入すれば、預け入れた玉の引き出しが可能となる。また、特許文献２には、携帯電話やドリンク等、遊技者が所持する小物を収容する収容部を備えた装置を遊技機に隣接して設けることが記載されている。これにより、遊技者が快適に遊技を行うことが可能となる。
【先行技術文献】
【特許文献】
【０００３】
【特許文献１】特開２０１１−２４００８１号公報
【特許文献２】特開２０１３−２２０８４号公報
【発明の概要】
【発明が解決しようとする課題】
【０００４】
しかしながら、遊技場では、スペースに限りがあること等から各種部材を効率よく配置することが求められている。特に、特許文献２に記載された収容部は、遊技者の所有物を収容できるだけの大きさを確保する必要があり、設置箇所によっては隣で遊技を行う遊技者に接触してしまうおそれさえある。このため、遊技機に隣接した収容部を設けていない遊技場も多々存在する。
【０００５】
本発明は、上記した事情に鑑みてなされたものであり、その目的は、遊技者の所有物を収容可能な収容部を効率良く配置することができる遊技場用装置及び遊技場用システムを提供することにある。
【課題を解決するための手段】
【０００６】
本発明の遊技場用装置は、遊技機に対応して設けられ、遊技者が携帯可能であり遊技に使用可能な遊技価値の情報を記録した記録媒体を受け付ける受付部と、遊技機に対応して設けられ、遊技者が受け取り可能に前記記録媒体を排出する排出部と、前記排出部の前方で当該排出部と前後に重なるように配置され、遊技者の所有物を収容可能な収容部と、を備えたものである（請求項１）。
【０００７】
請求項１記載の遊技場用装置において、
前記排出部は、前記記録媒体が前方に突出するように当該記録媒体を排出するものであり、前記収容部を前後に移動可能とする前後移動機構を備えるようにしてもよい（請求項２）。
請求項１又は２記載の遊技場用装置において、
前記収容部を、前記排出部の前方で前後に重なる第１位置と前記排出部と前後に重なった状態から退避した第２位置とに移動可能とする退避移動機構を備えるようにしてもよい（請求項３）。
【０００８】
請求項３記載の遊技場用装置において、
前記退避移動機構は、前記収容部が前記第２位置から前記第１位置に移動するように付勢するようにしてもよい（請求項４）。
請求項１から４の何れか一項に記載の遊技場用装置において、
前記排出部が排出した記録媒体を遊技者と挟む位置で前後に延びると共に、前記排出部よりも前方位置で前記収容部を保持する保持手段を備えるようにしてもよい（請求項５）。
【０００９】
請求項１から５の何れか一項に記載の遊技場用装置において、
前記収容部には、遊技者の所有物である板状の携帯端末の画面が遊技者に向いた状態で設置可能な第１設置部と、前記第１設置部よりも前記携帯端末の画面が遊技者に向かない状態で設置可能な第２設置部と、を設けるようにしてもよい（請求項６）。
本発明の遊技場用システムは、遊技機に対応して設けられ、遊技者が携帯可能であり遊技に使用可能な遊技価値の情報を記録した記録媒体を受け付ける受付部と、遊技機に対応して設けられ、遊技者が受け取り可能に前記記録媒体を排出する排出部と、前記排出部と前後に重なるように配置可能であり、遊技者の所有物を収容可能な収容部と、を備えたものである（請求項７）。
【発明の効果】
【００１０】
請求項１の発明によれば、記録媒体を排出する排出部と収容部を前後に重ねることで、排出部と収容部が左右方向に離れている構成に比べて左右方向の省スペース化を図ることができる。さらに、排出部の前方に収容部が位置しているので、排出部が排出した記録媒体を前方から取りにくくすることができる。これにより、遊技者とは異なる人物が記録媒体を盗もうと考えても、収容部の存在によって記録媒体が盗みにくくなる。
以上のように、収容部と排出部を前後に重ねることで、省スペース化を図りつつ記録媒体の盗難を抑制することができる。
【００１１】
排出部から記録媒体が排出された場合、記録媒体が前方に突出することになるため、収容部によって記録媒体の排出が妨げられるおそれがある。この点、請求項２の構成を採用すれば、収容部が前後に移動可能となるため、収容部と記録媒体が接触し、収容部や記録媒体が破損することを抑制できる。
また、排出部の記録媒体の排出量に応じて収容部の前後位置を調整すれば良く、多様な排出部に対応した収容部として機能させることもできる。
尚、記録媒体が排出部により排出された場合に、記録媒体によって収容部が押されて収容部が移動する構成としても、収容部が移動できない構成に比べて、記録媒体と収容部が接触した場合に、収容部や記録媒体が破損するおそれを低減できる。
【００１２】
排出部の前方に収容部が存在する場合、遊技者が記録媒体を回収しにくくなる問題が生じる。これに対して、請求項３の発明によれば、収容部を排出部と前後方向で重なった位置から退避させることができるので、記録媒体を所持する遊技者にしてみれば、記録媒体を回収する場合には収容部を移動させるだけで良く、収容部の存在によって記録媒体が回収しにくくなることを抑制できる。
収容部が第２位置のままとなっていると省スペース化を図る効果や記録媒体の盗難を抑制する効果が十分に得られなくなってしまうが、請求項４の発明によれば、収容部が排出部と前後で重なるように付勢することで遊技者が記録媒体を回収した後には自然に収容部が排出部と前後に重なる位置となるため、省スペース化を図る効果や記録媒体の盗難を抑制する効果を良好に得ることができる。
【００１３】
請求項５の発明によれば、排出部から排出された記録媒体を前後方向でみれば収容部によって覆うことができ、左右方向でみれば、遊技者と保持手段とで挟むことができる。これにより、前方からだけでなく左右方向からの記録媒体の盗難を抑制することが可能となる。そして、左右方向からの記録媒体の盗難を抑制するための構成を収容部の保持手段で兼用することができるため、左右方向からの記録媒体の盗難を抑制するための余分な部品等を設ける必要性を低減できる。
【００１４】
携帯端末の画面を見ながら遊技を行いたい遊技者と、携帯端末によって時刻等が表示されるため時間を気にすることなく遊技を行いたい等、携帯端末の画面を見ることなく遊技を行いたい遊技者が存在することが考えられる。請求項６の発明の収容部では、携帯端末の画面の向きを調整可能な設置部を設けたため、遊技者の要望に幅広く答えることが可能となる。
請求項７の発明によれば、請求項１の発明と同様に、収容部と排出部を前後に重ねることで、省スペース化を図りつつ記録媒体の盗難を抑制することができる。
【図面の簡単な説明】
【００１５】
【図１】本発明の一実施形態の全体構成を示す図
【図２】（ａ）及び（ｂ）は、収容部を第１位置に位置させた状態で示す当該収容部近傍の正面図及び右側面図
【図３】（ａ）〜（ｃ）は、収納部を第１位置へ引出す手順を示す斜視図
【図４】収納部を第２位置へ退避させた状態で示す平面図
【発明を実施するための形態】
【００１６】
以下、本発明の一実施形態について図１〜図４を参照して説明する。
図１は、遊技場用システムの全体構成を示す概略図である。遊技場内には多数の遊技機１が設置されており、各遊技機１に対応して貸出機２とユニット機３が設置されている。これら貸出機２とユニット機３は、各遊技機１，１間に左右に並べて配設され、後述する遊技場用装置を構成する。前記遊技機１及び貸出機２は、中継端末４ａ及びＬＡＮ４を介して管理装置５と接続されている。管理装置５は、遊技機側（遊技機１、貸出機２等）から送信される遊技信号を受信することにより遊技機１毎の遊技データを管理する共に、会員登録された会員毎の個人データも管理する。
【００１７】
遊技場には精算機６も設置されており、ＬＡＮ４を介して管理装置５と接続されている。精算機６は、ＩＣカード７がカード挿入口８に挿入されたときは、当該ＩＣカード７に記憶された残金を返却口９から返却すると共に当該ＩＣカード７を回収する。前記管理装置５は、遊技場内の例えば事務室等に設置されており、遊技場の管理者が操作するキーボード１０、モニタ１１、図示しないプリンタ等が接続されている。管理装置５は、遊技場内に設置された遊技機１、貸出機２等の稼動状況を管理する。尚、図１では図示を省略したが、実際には例えば数百台の遊技機１が管理装置５の管理対象となっている。
図１で示す遊技機１はＣＲ（カードリーダ）パチンコ機であり、盤面１２に玉を発射する発射装置を構成する操作ハンドル１３、上部受皿１４、下部受皿１５を有すると共に、盤面１２に、液晶表示部１６、始動口１７、大入賞口１８を有する。
【００１８】
前記貸出機２は、全体として縦長の直方体状をなしている。貸出機２の前面側には、上側から順に、状態表示部１９、紙幣投入口２０、液晶表示部２１、払出ボタン２２、払出ノズル２３、発行ボタン２５、カード挿入口２４、計数受皿２６が設けられている。前記状態表示部１９は遊技機１の遊技状態を示し、紙幣投入口２０には紙幣が投入される。液晶表示部２１は、遊技者からの操作入力を受付けると共に遊技の進行に伴って図柄変動回数（スタート回数）や大当たり確率等の遊技データを表示するタッチパネル式のものである。払出ボタン２２の操作により貯玉が払出されると、その玉が払出ノズル２３を通過する。発行ボタン２５は、ＩＣカード７を発行するためのものであり、カード挿入口２４には、そのＩＣカード７或いは会員カード（会員用のＩＣカード）が挿入される。計数受皿２６は、遊技機１の下部受皿１５の下方にあって、着脱可能に構成されている。
【００１９】
貸出機２は、以下に示す機能を備えている。
（１）紙幣投入口２０に投入された紙幣（１０００円、２０００円、５０００円、１００００円）の金額をＩＣカード７に記憶すると共に、投入金額（入金残高）を液晶表示部２１に表示する。
（２）遊技機１に設けられた図示しない貸出ボタンの操作に応じて入金残高の範囲内で１度数に相当する数の玉を遊技機１内部の払出機構から払出すＣＲ機能を備えている。
（３）遊技機１の下部受皿１５から落下して計数受皿２６で受けられた玉数を計数して液晶表示部２１に表示する。
（４）払出ボタン２２の操作に応じて計数玉数（持玉数）又は貯玉数（会員の場合）の範囲内で１度数ずつ払出す。
【００２０】
（５）遊技機１に設けられた図示しない返却ボタンの操作に応じて入金残高、持玉数、及び玉単価等の情報をカード挿入口２４に挿入されているＩＣカード７に記憶して発行する。会員カードが挿入されている場合は、入金残高を会員カードに記憶すると共に暗証番号の入力を条件として持玉数を管理装置５に送信してから会員カードを発行する。ＩＣカード７を発行する場合は、カードＩＤを含む発行情報を管理装置５へ送信し、管理装置５側にも記憶する。尚、カード挿入口２４にＩＣカード７も会員カードも挿入されていない場合は、図示しないカードストック部にストックしているＩＣカード７をカード挿入口２４に繰出して入金残高、持玉数、及び玉単価を記憶して発行する。
（６）ＩＣカード７がカード挿入口２４に挿入された場合は、ＩＣカード７に記憶されている入金残高、持玉数、及び玉単価を読出して液晶表示部２１に表示する。会員カードが挿入された場合は、会員カードに記憶されている入金残高を読出して液晶表示部２１に表示すると共に暗証番号の入力を条件として管理装置５の会員口座に会員ＩＤに対応して記憶されている貯玉数も表示する。前記ＩＣカード７及び会員カードは、何れも入金残高や持玉数等、遊技に使用可能な遊技価値の情報を記録した記録媒体に相当するカードである。以下では、説明の便宜上、ＩＣカード７は会員カードを含む概念であるとする。
【００２１】
ＩＣカード７は、貸出機２のカード挿入口２４に挿入され、前記返却ボタンの操作に応じて当該カード挿入口２４から排出される。こうして、カード挿入口２４は、貸出機２の前面下部側において、ＩＣカード７を受け付ける受付部、或はＩＣカード７を前方へ排出する排出部を構成している。尚、図２（ｂ）では、排出されたＩＣカード７を２点鎖線で示しており、符号Ｌは、そのカード７が略半分カード挿入口２４から飛び出た状態（半ざし状態）の排出長を表す。
【００２２】
上記の貸出機２に対して、前記ユニット機３は、例えば左隣りに接して並設され、貸出機２と同様に縦長の直方体状をなしている。図１に示すように、ユニット機３には上側から順に、空気清浄機３０、ＰＯＰ収容部３１、及び遊技者用収容装置３２が設けられている。
【００２３】
空気清浄機３０は、図示しないファンを備えており、ユニット機３の前面上部側の吹出口３０ａから清浄化された空気を吹き出すように構成されている。ＰＯＰ収容部３１は、遊技機１の遊技に関する解説等のＰＯＰ広告（図示略）が収容される縦長な収容スペースとなっている。前記ＰＯＰ広告は、図示しないストラップを介して、ＰＯＰ収容部３１上部の係止部３１ａに取着される。そして、遊技者用収容装置３２は、遊技者の所有物の収容が可能であり、図２に示すカップＣのドリンクホルダとしても機能する。この遊技者用収容装置３２について、図２〜図４も参照しながら詳述する。
【００２４】
図２（ｂ）、図３（ａ）に示すように、遊技者用収容装置３２は、ユニット機３の下端部に組付けられた取付筒枠３３と、取付筒枠３３に引出し可能に設けられたスライドベース３５と、スライドベース３５の前部に連設された収容部３６とを備える。
【００２５】
前記取付筒枠３３は、ユニット機３の幅方向（図２（ａ）で左右方向）に収まる幅寸法に設定されており、前後方向（図２（ｂ）で左右方向）に延びる幅狭な矩形筒状をなしている。取付筒枠３３の左右の側壁部３３ａ，３３ｂには、上下一対のスライド溝３７ｕ，３７ｄが対向するように形成されている。図２（ｂ）に示すように、各スライド溝３７ｕ，３７ｄは前後方向に延びており、夫々の前端部に斜め前下方へ傾斜した傾斜部３８ｕ，３８ｄが形成されている。詳しくは後述するように、スライド溝３７ｕ，３７ｄの傾斜部３８ｕ，３８ｄに、スライドベース３５の小突部３５ｕ，３５ｄが係脱可能に係止されることで、そのスライドベース３５が引出し端で保持される。
【００２６】
スライドベース３５は、取付筒枠３３の内壁部に摺接する寸法形状の基部４０と本体部４１とを前後に連ねた構成にある。具体的には、スライドベース３５後方の基部４０は、右側に張出す上下一対の小突部３５ｕ，３５ｄと、左側に張出す同様の小突部（図示略）とを一体に有する。スライドベース３５は、基部４０の小突部３５ｕ，３５ｄがスライド溝３７ｕ，３７ｄに嵌合した状態で、取付筒枠３３の内部に収納可能に収納される。この場合、スライドベース３５は、その基部４０と本体部４１が取付筒枠３３に収納された収納位置（図３（ａ）参照）と、小突部３５ｕ，３５ｄが前記傾斜部３８ｕ，３８ｄに係止されるまで引出した引出位置との間でスライドする。これにより、取付筒枠３３及びスライドベース３５は、前記収容部３６を前後に移動可能とする前後移動機構３９を構成する。また、スライドベース３５の引出位置では、収容部３６が前記カード挿入口２４の前方で前後に重なる第１位置に位置するようになっている（図２（ａ）参照）。
【００２７】
スライドベース３５の基部４０には、前端部に位置させて枢支部４２が設けられている。枢支部４２は、本体部４１を、上下方向の軸線４２Ｌ（図２（ｂ）参照）の回りに揺動可能に支持する。詳細には図４に示すように、枢支部４２は、スライドベース３５の引出位置で取付筒枠３３から露出する半円部４３と、その右端部に設けられた第１当接部４３１と、左端部に設けられた第２当接部４３２とを備える。
【００２８】
スライドベース３５の本体部４１の後端部には、基部４０の半円部４３に沿う切欠部４４を含む被枢支部が設けられている。本体部４１における切欠部４４の右端部４４１を、基部４０の第１当接部４３１に当接させると、前記収容部３６が前記カード挿入口２４の前方で前後に重なる第１位置となる（図２（ａ）参照）。一方、本体部４１における切欠部４４の左端部４４２を、基部４０の第２当接部４３２に当接させると、前記収容部３６が前記カード挿入口２４と前後に重なった状態から退避した第２位置となる（図４参照）。
【００２９】
更に、スライドベース３５には、収容部３６が第２位置から第１位置に移動するように付勢する付勢手段（図示略）が設けられている。この付勢手段は、例えば本体部４１と基部４０との間に掛け渡されるねじりコイルばねからなる。こうして、スライドベース３５は、付勢手段の付勢力により、前記第１位置で本体部４１が基部４０に対して前後方向に直線状に連なる姿勢が保持される。また、スライドベース３５は、前記第２位置で本体部４１が基部４０に対して例えば３０度左側に傾斜した姿勢となる。前記枢支部４２、被枢支部及び前記付勢手段は、収容部３６を第１位置と第２位置とに移動可能とする退避移動機構４５を構成する。また、スライドベース３５は、カード挿入口２４よりも前方位置で収容部３６を保持する保持手段を構成する。
【００３０】
ここで、スライドベース３５とカード挿入口２４との位置関係について説明を補足する。遊技者は、周知のように遊技機１の正面にて遊技を行うものとする。この場合、遊技機１に対応する貸出機２が、当該遊技機１に対して左側に設けられており、その更に左側にユニット機３が設けられている。つまり、対応する遊技機１に対して、ユニット機３の方が貸出機２よりも外側に設けられている。また、スライドベース３５は、カード挿入口２４と同じ高さとなるように配置されている。本構成であることにより、カード挿入口２４の側方外側にてスライドベース３５が前後に延びることになり、カード挿入口２４からＩＣカード７が排出された場合、そのＩＣカード７をスライドベース３５と遊技者とで挟むことになる。
【００３１】
図２（ｂ）、図３（ｂ）に示すように、スライドベース３５の本体部４１の前半部には、収容部３６用格納凹部４６が設けられている。格納凹部４６の前後の壁部４６ａ，４６ｂには、上端部に位置させて軸支部４７ａ，４７ｂが設けられている。図２（ｂ）に示すように、軸支部４７ａ，４７ｂは、収容部３６の枠体５０の軸部５０ａ，５０ｂを、前後方向の軸線４７Ｌの回りに回動可能に支持する。また、後方の軸支部４７ｂには、枠体５０を正面視にて反時計回り方向（図３（ｃ）の矢印Ｄ１方向）に付勢するねじりコイルばね４７が配設されている。格納凹部４６の底壁部４６ｃは、段落ち状をなしており、収容部３６のアーム部５１を、枠体５０と干渉しないように格納する。また、底壁部４６ｃの下面側には、アーム部５１を、上下方向の軸線４６Ｌ（図２（ｂ）参照）の回りに揺動可能に支持する軸支部４８が設けられている。軸支部４８には、アーム部５１を側方（図３（ｂ）の矢印Ｄ２方向）に付勢するねじりコイルばね（図示略）が配設されている。
【００３２】
尚、図３（ａ）に示すように、スライドベース３５の前面部４９は、前記収容位置で取付筒枠３３から露出するようになっており、当該前面部４９に縦向きの摘み部４９ａが設けられている。  さて、本実施形態の収容部３６は、矩形状をなす枠体５０と、その下方のアーム部５１とで携帯端末やドリンクのカップＣを収容するように構成されている。収容部３６の枠体５０は、その主面部５０ｃが収容物を囲うように形成されている（図２（ａ）、図３（ｃ）参照）。つまり、枠体５０は、収容物を囲った状態で主面部５０ｃが垂直方向に沿う形状をなす。また、枠体５０は、軸支部４７ａ，４７ｂで支持されることで、スライドベース３５の格納凹部４６に格納される格納位置と、その一辺部が格納凹部４６の上縁部４６ｄ（図３（ｂ）（ｃ）参照）に当接して、水平の状態で係止される張出位置との間で回動する。この場合、枠体５０は、常時ねじりコイルばね４７で張出位置側へ付勢されているため、張出位置における水平状態が保持される。
【００３３】
また、枠体５０は、主面部５０ｃの幅寸法（図３（ｃ）で上下方向の寸法）が前方のＷ１よりも後方のＷ２の方が若干小さく（Ｗ１＞Ｗ２）、後側へ向かうに従い幅狭になるような傾斜構造をなしている。このため、枠体５０を格納する際、格納方向（Ｄ１とは逆方向）へスムーズに回動させることができる。また、これにより、枠体５０の回動に必要な力を小さくでき、且つ比較的幅が広いＷ１部分で全体の剛性を補うことができ、枠体５０の破損を防止できる。
【００３４】
図４に示すように、収容部３６のアーム部５１は、格納凹部４６の底壁部４６ｃと略同じ幅寸法に設定された幅狭な板状をなしている。アーム部５１は、その後端部が軸支部４８により支持されることで、格納凹部４６の底壁部４６ｃに格納される格納位置と、スライドベース３５の本体部４１に対して６０度傾斜した張出位置との間で揺動する。この場合、アーム部５１は、常時軸支部４８における前記ねじりコイルばねで張出位置側へ付勢されており、その張出位置で枠体５０と共に前記所有物（例えば携帯電話やタバコの箱）や飲料容器の収容に好適な収容部３６を構成する。
【００３５】
また、アーム部５１の長手方向寸法は、平面視にて枠体５０からはみ出さないように設定されており（図４参照）、アーム部５１の幅寸法は、格納凹部４６（本体部４１）の幅寸法と略一致する。また、アーム部５１は、後端部を揺動中心とし、スライドベース３５が後方へ収納される際、アーム部５１外縁部が取付筒枠３３の前面開口部に当接することに伴い、格納方向（Ｄ２とは逆方向）へ揺動する。こうして、アーム部５１は、スライドベース３５を後方へ押し込む際、前記ねじりコイルばねの付勢力に抗して格納方向へ揺動することで、自動的に格納位置に戻るように構成されている。
【００３６】
アーム部５１の上面部には、下方へ窪ませた複数の溝部５１１，５１２ａ，５１２ｂが設けられている。第１設置部たる第１溝部５１１は、アーム部５１の前記張出位置で、前後方向（本体部４１の延設方向）に対して斜めに傾斜するように形成されている（図３（ｃ）、図４参照）。このため、板状をなし、板面に画面が形成された携帯端末（図示略）を収容部３６に収容し、当該携帯端末の下端部を、第１溝部５１１に合わせて載置すると、携帯端末の画面が遊技者に向いた状態で設置される。また、第２設置部たる第２溝部５１２ａ，５１２ｂは、アーム部５１の前記張出位置で、何れも前後方向に延びるように形成されている。このため、携帯端末の下端部を第２溝部５１２ａ，５１２ｂに合わせて載置すると、携帯端末の画面が遊技者に向かない状態で設置される。
【００３７】
次に上記構成の作用について説明する。
先ず、収容装置３２を使用しない不使用時にあっては、図３（ａ）に示すようにスライドベース３５は前面部４９のみ露出した収納位置にある。また、収容部３６の枠体５０とアーム部５１は、何れもスライドベース３５の格納凹部４６に格納された状態にある。従って、この状態では、遊技者がＩＣカード７を貸出機２のカード挿入口２４に挿入する際、収容部３６が邪魔になることはない。
【００３８】
遊技者が収容部３６を利用する際、先ず収容装置３２の前面部４９の摘み部４９ａを摘んで前方へ引出す。これにより、スライドベース３５が前方へ引出されることに伴い、アーム部５１が露出するとき、前記ねじりコイルばねの付勢力により図３（ｂ）中、矢印Ｄ２方向に揺動することで、当該アーム部５１が自動的に張出位置へ張出す。次いで、枠体５０が露出するとき、ねじりコイルばね４７の付勢力により図３（ｃ）中、矢印Ｄ１方向に回動することで、当該枠体５０が自動的に張出位置側へ張出す。
【００３９】
こうして、スライドベース３５を前方へ引出すと、収容部３６の枠体５０とアーム部５１は、何れもカード挿入口２４の前方で当該挿入口２４と前後に重なる第１位置（張出位置）に位置する（図２（ａ）参照）。この場合、スライドベース３５は、小突部３５ｕ，３５ｄがスライド溝３７ｕ，３７ｄの傾斜部３８ｕ，３８ｄ（前端部）に係止される位置まで、確実に引出される（図２（ｂ）参照）。また、この場合、退避移動機構４５の前記付勢手段により、スライドベース３５が前後方向に延びた姿勢が維持されるため、遊技者は収容部３６にカップＣや携帯電話等を安定して置くことができる。
【００４０】
ここで、収容部３６にカップＣを置いた状態で、スライドベース３５を後方へ移動させる場合を仮定する。即ち、遊技者が不用意にスライドベース３５を押し込んだ時、収容部３６における枠体５０の主面部５０ｃが、取付筒枠３３の前縁部に係止されることで（図３（ｃ）参照）、それ以上のスライドベース３５の移動が阻止される。また、この主面部５０ｃの取付筒枠３３に対する当接状態において、アーム部５１は、平面視にて枠体５０からはみ出さず、且つ取付筒枠３３等の他の部材と接触することもないため、揺動しない。このため、カップＣ内のドリンクがこぼれるといった不具合が生じることを防止できる。
【００４１】
遊技者は、収容部３６をしまう時、枠体５０に手指をかけて格納位置側へ倒す。この場合、枠体５０は、前述のようにスムーズに回動する構造（Ｗ１、Ｗ２参照）を有するため、簡単に格納位置へ倒した状態にできる。この状態で、スライドベース３５を後方へ押し込むと、収容部３６のアーム部５１は、取付筒枠３３の前面開口部に当接することに伴い、前記ねじりコイルばねの付勢力に抗して格納位置側へ揺動することで自動的に格納される。これにより、スライドベース３５は、収容部３６を格納した状態で、収容位置へ収容することができる。
【００４２】
以上のように本実施形態の遊技場用装置は、遊技機１に対応して設けられ、遊技者が受け取り可能にＩＣカード７を排出する排出部と、排出部の前方で当該排出部と前後に重なるように配置され、遊技者の所有物を収容可能な収容部３６とを備える。
これによれば、ＩＣカード７を排出する排出部と収容部３６を前後に重ねることで、排出部と収容部３６が左右方向に離れている構成に比べて左右方向の省スペース化を図ることができる。さらに、排出部の前方に収容部３６が位置しているので、排出部が排出したＩＣカード７を前方から取りにくくすることができる。これにより、遊技者とは異なる人物がＩＣカード７を盗もうと考えても、収容部３６の存在によってＩＣカード７が盗みにくくなる。
【００４３】
前記排出部は、ＩＣカード７が前方に突出するように当該ＩＣカード７を排出するものであり、収容部３６を前後に移動可能とする前後移動機構３９を備える。これによれば、収容部３６が前後に移動可能となるため、収容部３６とＩＣカード７が接触し、収容部３６やＩＣカード７が破損することを抑制できる。
【００４４】
前記収容部３６を、排出部の前方で前後に重なる第１位置と排出部と前後に重なった状態から退避した第２位置とに移動可能とする退避移動機構４５を備える。これによれば、収容部３６を排出部と前後方向で重なった位置から退避させることができるので、ＩＣカード７を所持する遊技者にしてみれば、ＩＣカード７を回収する場合には収容部３６を移動させるだけで良く、収容部３６の存在によってＩＣカード７が回収しにくくなることを抑制できる。
【００４５】
前記退避移動機構４５は、収容部３６が第２位置から第１位置に移動するように付勢する。収容部３６が排出部と前後で重なるように付勢することで遊技者がＩＣカード７を回収した後には自然に収容部３６が排出部と前後に重なる位置となるため、省スペース化を図る効果やＩＣカード７の盗難を抑制する効果を良好に得ることができる。
【００４６】
前記排出部が排出したＩＣカード７を遊技者と挟む位置で前後に延びると共に、排出部よりも前方位置で収容部３６を保持する保持手段を備える。これによれば、排出部から排出されたＩＣカード７を前後方向でみれば収容部３６によって覆うことができ、左右方向でみれば、遊技者と保持手段とで挟むことができる。これにより、前方からだけでなく左右方向からのＩＣカード７の盗難を抑制することが可能となる。そして、左右方向からのＩＣカード７の盗難を抑制するための構成を収容部３６の保持手段で兼用することができるため、左右方向からのＩＣカード７の盗難を抑制するための余分な部品等を設ける必要性を低減できる。
【００４７】
前記収容部３６には、遊技者の所有物である板状の携帯端末の画面が遊技者に向いた状態で設置可能な第１溝部５１１と、第１溝部５１１よりも携帯端末の画面が遊技者に向かない状態で設置可能な第２溝部５１２ａ，５１２ｂとが設けられている。これによれば、携帯端末の画面の向きを調整可能な設置部５１１，５１２ａ，５１２ｂを設けたため、遊技者の要望に幅広く答えることが可能となる。
【００４８】
（その他の実施形態）
本発明は、上記実施形態に限定されることなく、次のように変形又は拡張したり、各変形例を上記実施形態と組合せたり、各変形例を組合せるようにしてもよい。
記録媒体は、カード形状でなくとも良く、コイン形状としたものやスティック形状として使用することも可能である。また、記録媒体は、ＩＣカード７に代えて磁気式のＣＲカードを用いるようにしても良い。
【００４９】
貸出機２においてＩＣカード７を受け付ける手段である受付部と排出する手段である排出部はカード挿入口２４に限らず、それらの手段として、図示しない挿入口と排出口とを別個に設けるようにしてもよい。
前記収容部は、所謂ドリンクホルダを構成する枠体５０とアーム部５１に限らず、任意に変更してもよい。例えば収容部は、カップＣの如き飲料容器の収容が可能でなくとも、より小さい外形の携帯電話やタバコの箱の収容が可能な寸法形状で構成してもよい。
【００５０】
前記収容部について、カード挿入口２４の前方に位置する第１位置と当該前方から退避した第２位置とに切換える機構は、退避移動機構４５に限らず適宜変更してもよい。例えば、スライドベース３５の自重を利用した他の付勢手段を用いたり、収容部を退避させる方向は左方以外の方向に退避させてもよい。
ＩＣカード７の受付及び排出を行う装置は、貸出機２に限らず、適宜変更しても良い。例えば、ＩＣカード７の受付機能及び排出機能を備えた遊技機で構成しても良い。また、前記収容部を備えた装置とＩＣカード７の受付及び排出を行う装置とを１つの装置で一体に構成しても良い。
【００５１】
その他の遊技機にて本願発明を適用しても良い。例えば、メダルを使用しない完全クレジット式スロットマシンや、玉が封入された封入式パチンコ遊技機等が考えられる。即ち、遊技価値とはクレジットや得点などの遊技媒体以外を含む概念である。遊技者の貸出操作に基づいて実際に玉を付与する場合、遊技機１から玉を払い出すＣＲタイプの構成としたが、貸出機から玉を払い出す構成としても良い。
【符号の説明】
【００５２】
図面中、１は遊技機、２は貸出機、７はＩＣカード（記録媒体）、２４はカード挿入口（排出部、受付部）、３５はスライドベース（保持手段）、３６は収容部、３９は前後移動機構、４５は退避移動機構、５１１は第１設置部、５１２ａ，５１２ｂは第２設置部である。
【図１】
2014230644.tif 000003
【図２】
2014230644.tif 000004
【図３】
2014230644.tif 000005
【図４】
2014230644.tif 000006